(57)【要約】【課題】  コンピュータケースの冷却装置の提供。【解決手段】  コンピュータケース中に渦流ファンが設置され、急速にコンピュータケース中の熱気を外に排出する。該渦流ファンは電源供給器の下方に位置し且つマザーボードに対して垂直な方向に取り付けられ、それは吸込口と吸込口から遠く離れた一側の吐出口を具え、且つ吐出口はコンピュータケース側壁の複数の放熱孔内側に固定され、コンピュータケースの側壁に別に複数の排熱孔が設けられて電源供給器の熱気排出に供され、且つ該渦流ファンの吸込口が渦気流を発生し並びにマザーボード情報で気流を循環させ、並びに循環気流を利用してマザーボードの熱気を奪って外に排出し、急速冷却機能を構成し、こうして急速な冷却とコンピュータケース中の空気に循環、流通を形成させる機能を達成する。【選択図】        図１
2005166006.tif 000002
【特許請求の範囲】
【請求項１】
コンピュータケースの冷却装置において、コンピュータケース中に渦流ファンが設置されて空気の急速循環と急速冷却の機能を達成し、該コンピュータケース中にマザーボードと電源供給器が設けられ、電源供給器の一側に冷却ファンが設置され、且つ該電源供給器の一側がコンピュータケースの排熱孔の内側に当接され、該電源供給器の下方にあってマザーボードと垂直な方向に渦流ファンが設けられ、該渦流ファンが吸込口と吸込口より離れた別端の吐出口を具え、該吐出口がコンピュータケースの複数の冷却孔の内側に固定され、吐出口により吸込口より吸収した気流が外に排出されて冷却装置が構成され、コンピュータケースの急速冷却と空気循環、流通の機能を達成することを特徴とする、コンピュータケースの冷却装置。
【請求項２】
請求項１記載のコンピュータケースの冷却装置において、コンピュータケースの冷却孔が側壁面に設けられ、並びに大孔径を以て設置されたことを特徴とする、コンピュータケースの冷却装置。
【請求項３】
請求項１記載のコンピュータケースの冷却装置において、コンピュータケースの渦流ファンの排気量が吸気量より大きく急速排風を達成することを特徴とする、コンピュータケースの冷却装置。
【発明の詳細な説明】
【技術分野】
【０００１】
本発明は一種のコンピュータケースの冷却装置に係り、特に、コンピュータケース中に渦流ファンが設けられ、これにより急速にコンピュータケース中の熱気を吸収して外に排出し、且つコンピュータケース中に空気の渦流式循環、流通を形成させて、コンピュータケースの急速冷却の機能を達成する、コンピュータケースの冷却装置に関する。
【背景技術】
【０００２】
一般にコンピュータケース中にはマザーボード、電源供給器、各種電子部品、ＣＰＵ等の部品が設けられ、且つコンピュータケース中の各部品例えば電源供給器、各種電子部品及びＣＰＵ等はプログラム実行の運転過程に熱気を放出し、熱気がコンピュータケース中に蓄積されて排除されなければ、コンピュータケース中を不断に重複して循環し、熱気がコンピュータケース中の各電子部品の正常な冷却に影響を与え、且つ各電子部品の実行効果エラーと使用寿命の短縮をもたらし、更にはコンピュータの正常な運転に影響を与え、コンピュータが錯誤情報、故障、毀損或いはフリーズの状況を発生する。ゆえにコンピュータケース中の冷却問題は関係業者が解決を急ぐ重要な課題となっている。一般にコンピュータケース中の冷却は、ＣＰＵにヒートシンクと冷却ファンを取り付けて冷却を補助し、さらにコンピュータケース内部側壁に取り付けられたファンにより熱気を吸い取り外に排出している。しかしファンは軸流ファンとされて吸い出しと冷却を行なうが、軸流ファンは体積が小さく、吸い出しによる冷却の速度は有限であり、このため熱気がコンピュータケース内部で循環して外界に排出されにくくなる。且つ周知のコンピュータケース中に設置される冷却ファンはいずれも軸流ファンであり、それは使用上、以下のような欠点を有している。
１．軸流ファンの面積は小さく、冷却速度は遅く、コンピュータケース中に熱気が蓄積し、空気を循環、流通させることができず、電子部品の運転に影響を与えやすい。
２．コンピュータケースは側壁の軸流ファンの吸い出し冷却に頼っており、吸い出し速度は電子部品が熱気を放出する速度より遥かに遅く、吸い出し冷却の効果が不良である。
３．コンピュータケースの側壁に設けられた排熱孔はいずれも小さく密集しており、外界の空気が進入しにくく、また内部の空気も排出されにくく、このためコンピュータケースの冷却機能に影響が生じた。
４．軸流ファンは吸い出し排熱を行なうだけで空気を駆動し循環、流通させる機能を具備せず、コンピュータケースの内部に空気循環を発生させることができない。
上述したように、周知のコンピュータケースは軸流ファンの採用により冷却を行なっているが、軸流ファンの冷却効果は低く、多くの欠点を有している。
【発明の開示】
【発明が解決しようとする課題】
【０００３】
本発明は急速冷却と空気の循環、流通を形成するコンピュータケースの冷却装置を提供するものである。
【０００４】
本発明の主要な目的は、コンピュータケース中に渦流ファンを取り付け、且つ渦流ファンを電源供給器の下方にあって、基板と垂直な方向に位置づけ、コンピュータケース中の各部品の運転時に発生する熱気を吸収し並びに外に排出するようにし、これにより急速冷却の機能を達成することにある。
【０００５】
本発明の次の目的は、渦流ファンの強力な吸収風量を利用し、コンピュータケース内部の空気を駆動して急速に循環、流通させ、各部品の冷却速度を高めることにある。
【０００６】
本発明の更なる目的は、渦流ファンをマザーボードに垂直な方向に取り付け、これにより渦流ファン運転時に発生する渦気流をマザーボードの上方で循環、流通させ、並びにマザーボード上の熱気を外に排出できるようにすることにある。
【課題を解決するための手段】
【０００７】
請求項１の発明は、コンピュータケースの冷却装置において、コンピュータケース中に渦流ファンが設置されて空気の急速循環と急速冷却の機能を達成し、該コンピュータケース中にマザーボードと電源供給器が設けられ、電源供給器の一側に冷却ファンが設置され、且つ該電源供給器の一側がコンピュータケースの排熱孔の内側に当接され、該電源供給器の下方にあってマザーボードと垂直な方向に渦流ファンが設けられ、該渦流ファンが吸込口と吸込口より離れた別端の吐出口を具え、該吐出口がコンピュータケースの複数の冷却孔の内側に固定され、吐出口により吸込口より吸収した気流が外に排出されて冷却装置が構成され、コンピュータケースの急速冷却と空気循環、流通の機能を達成することを特徴とする、コンピュータケースの冷却装置としている。
請求項２の発明は、請求項１記載のコンピュータケースの冷却装置において、コンピュータケースの冷却孔が側壁面に設けられ、並びに大孔径を以て設置されたことを特徴とする、コンピュータケースの冷却装置としている。
請求項３の発明は、請求項１記載のコンピュータケースの冷却装置において、コンピュータケースの渦流ファンの排気量が吸気量より大きく急速排風を達成することを特徴とする、コンピュータケースの冷却装置としている。
【発明の効果】
【０００８】
本発明は一種のコンピュータケースの冷却装置を提供し、それは、コンピュータケース中に渦流ファンが設置され、急速にコンピュータケース中の熱気を外に排出する。該渦流ファンは電源供給器の下方に位置し且つマザーボードに対して垂直な方向に取り付けられ、それは吸込口と吸込口から遠く離れた一側の吐出口を具え、且つ吐出口はコンピュータケース側壁の複数の放熱孔内側に固定され、コンピュータケースの側壁に別に複数の排熱孔が設けられて電源供給器の熱気排出に供され、且つ該渦流ファンの吸込口が渦気流を発生し並びにマザーボード情報で気流を循環させ、並びに循環気流を利用してマザーボードの熱気を奪って外に排出し、急速冷却機能を構成し、こうして急速な冷却とコンピュータケース中の空気に循環、流通を形成させる機能を達成する。
【発明を実施するための最良の形態】
【０００９】
図１、２、３は本発明のコンピュータケースの立体外観図、コンピュータケースの別方向の立体外観図、側面図である。図示されるように、本発明は、コンピュータケース１、マザーボード２、電源供給器３及び渦流ファン４で構成されている。そのうち、コンピュータケース１の側壁には複数の接続装置及び複数の冷却孔１１、排熱孔１２が設けられ、且つ内部底側にマザーボード２が設置され、マザーボード２上に複数の電子部品２１、ヒートシンク２２１、冷却ファン２２２を具えたＣＰＵ２２が設けられ、マザーボード２の上方に電源供給器３が設けられ、該電源供給器３の一側に冷却ファン３１が設けられ、且つ電源供給器３の一側はコンピュータケース１の排熱孔１２の内側に当接され、並びに電源供給器３の下方にあってマザーボード２と垂直な方向に渦流ファン４が取り付けられ、該渦流ファン４は吸込口４１と吐出口４２を具え、且つ吐出量は大きく、その吐出口４２はコンピュータケース１側壁の冷却孔１１の内側に固定されている。渦流ファン４の吸込口４１はマザーボード２の側辺に垂直で、これにより渦流ファン４の吸込口４１が運転時に発生する渦気流はマザーボード２１上方を循環、流通し、並びにマザーボード２の熱気を吸収し外に排出し、且つ電源供給器３が直接排熱孔１２部分より熱気を排出し、こうして急速冷却機能を具備する冷却装置とされている。
【００１０】
図３、４は本発明の側面図、渦流ファンの動作状態側面図である。そのうち、コンピュータケース１中のマザーボード２上の各電子部品２１、ＣＰＵ２２及び電源供給器３の運転時には熱気が放出され、熱気はコンピュータケース１中に蓄積される。渦流ファン４の運転により発生する渦流式対流を利用し、コンピュータケース１中に蓄積した熱気に渦式循環対流を形成させ、さらに熱気流を吐出口４２より外向きに排出する。吐出量が吸込量より大きく冷却速度が速く、また渦流ファン４の熱気吸収範囲が比較的大きく、且つ渦気流の循環効果が良好で、急速にコンピュータケース１内の熱気を吸収し、且つコンピュータケース１中の空気を駆動して循環流通させることができる。空気に循環状態にあって冷空気と熱空気の交換を行なわせ、コンピュータケース１中の熱気を排出後にコンピュータケース１中の冷、熱空気に循環、交換を発生させ、並びに冷空気の循環気流により電子部品２１、ＣＰＵ２２及び電源供給器の急速な冷却を補助する。該電源供給器３は並びに直接排熱孔１２より熱気を排出するため、冷却の速度が高まり熱気のコンピュータケース１中の蓄積を防止でき、有効のコンピュータケース１中の各部品の運転時に発生する熱気を排出し、各部品の損壊率を減らし各部品の使用寿命を延長することができる。
【００１１】
以上の本発明の冷却装置は実際の使用時に、以下のような優れた点を有している。
１．渦流ファン４の熱気吸収面積が大きく、熱吸収効果が良好で、急速にコンピュータケース１中の熱気を外部に排出できる。
２．渦流ファン４の冷却速度は急速で、マザーボード２の各電子部品２１、ＣＰＵ２２及び電源供給器３が熱を発生する速度より速く、急速な冷却作用を有する。
３．コンピュータケース１に渦流ファン４の吐出口４２に合わせて比較的大きな孔径の冷却孔１１が設けられ、電源供給器３が複数の排熱孔１２より熱気を排出し、熱気の排出速度が更に高められている。
４．渦流ファン４の吸込口４１の面積が大きく、急速且つ大量にコンピュータケース１中の熱気を吸い込み、並びにコンピュータケース１中の空気を急速に循環、流通させ、電子部品２１、ＣＰＵ２２及び電源供給器３の冷却効果を高める。
５．渦流ファン４は運転時に渦式対流を発生し、これによりコンピュータケース１中の熱気に対流循環を発生させて、有効に熱気を外に排出し、急速に冷、熱空気の交換を行なう。
６．渦流ファン４がマザーボード２と垂直を呈するよう設置され、渦流ファン４の運転時に発生する渦気流がマザーボード２上で循環、流通し、並びにマザーボード２の熱気を吸収して外に排出し、且つ冷、熱空気を交換する循環作用を達成する。
【００１２】
以上は本発明の実施例の説明に過ぎず、本発明の実施範囲を限定するものではなく、本発明に基づきなしうる細部の修飾或いは改変は、いずれも本発明の請求範囲に属するものとする。
【図面の簡単な説明】
【００１３】
【図１】本発明のコンピュータケースの立体外観図である。
【図２】本発明のコンピュータケースの別方向の立体外観図である。
【図３】本発明の側面図である。
【図４】本発明の渦流ファンの動作状態側面図である。
【符号の説明】
【００１４】
１  コンピュータケース
１１  冷却孔                    １２  排熱孔
２  マザーボード
２１  電子部品                  ２２１  ヒートシンク
２２  ＣＰＵ                    ２２２  冷却ファン
３  電源供給器
３１  冷却ファン
４  渦流ファン
４１  吸込口                    ４２  吐出口
【図１】
2005166006.tif 000003
【図２】
2005166006.tif 000004
【図３】
2005166006.tif 000005
【図４】
2005166006.tif 000006